(57)【要約】【課題】従来のグループ機能を備えたＭＤ記録再生装置において、ＭＤに記録されているトラックをグループ分けする場合、１つのグループ毎にグループを設定する操作をし、設定したグループにグループネームを入力するそうさをするために、多くの操作時間を費やしてしまう。【解決手段】ＭＤにメインデータを記録する記録開始時のトラックナンバーＮ１と記録停止時のトラックナンバーＮ２を記憶部に記憶し、トラックナンバーＮ１からトラックナンバーＮ２までのトラックを１のグループとし、テキストデータに含まれるアーティストネームをグループネームとして管理するグループ管理情報を管理データ記録領域のディスクネーム記録領域に記録する。【選択図】  図２
2004192706.tif 000002
【特許請求の範囲】
【請求項１】
メインデータを記録するためのメインデータ記録領域と前記メインデータ記録領域に記録されたメインデータを管理する管理データを記録するための管理データ記録領域を有する情報記録媒体にメインデータと管理データを記録する記録手段と情報記録媒体に記録されたメインデータ及び管理データを再生する再生手段を備えた情報記録媒体記録再生装置において、
メインデータとテキストデータを外部から入力する入力手段と、前記入力手段に入力されたメインデータの情報記録媒体への記録の開始及び停止を指示する指示手段と、前記指示手段により記録の開始を指示されたときのトラックナンバーＮ１と記録の停止を指示されたときのトラックナンバーＮ２を記憶する記憶手段と、情報記録媒体の管理データ記録領域のディスクネーム記録領域にトラックナンバーＮ１からトラックナンバーＮ２までのトラックを１つのグループとして管理するグループ管理データを記録するよう前記記録手段を制御する制御手段とを有し、
前記制御手段は、テキストデータにアーティストネームを示すデータが含まれているとき、前記記憶手段にアーティストネームを示すデータを記憶させ、前記アーティストネームを示すデータを前記１つのグループのグループネームを示すデータとして記録するよう前記記録手段を制御することを特徴とする情報記録媒体記録再生装置。
【発明の詳細な説明】
【０００１】
【発明の属する技術分野】
本発明は、メインデータを記録するメインデータ記録領域とメインデータを管理する管理データを記録する管理データ記録領域を有する情報記録媒体にメインデータ及び管理データを記録及び再生する情報記録媒体記録再生装置に関する。
【０００２】
【従来の技術】
メインデータが記録された情報記録媒体を記録再生する機器として、コンパクトディスク（Ｃｏｍｐａｃｔ  Ｄｉｓｃ（以下、「ＣＤ」という。））再生装置やミニディスク（Ｍｉｎｉ  Ｄｉｓｃ（以下、「ＭＤ」という。））記録再生装置がある。これらの装置を用いて、ＣＤに記録されているメインデータをデジタル信号としてＭＤに記録することができる。
【０００３】
ＭＤは、音楽や音声などのメインデータを記録することができ、記録したメインデータを書き換えることが可能な情報記録媒体である。このような情報記録媒体には、メインデータの他に、このメインデータを管理する管理データが記録される。この管理データは、ＭＤのユーザ  テーブル  オブ  コンテンツ（Ｕｓｅｒ  Ｔａｂｌｅ  ＯｆＣｏｎｔｅｎｔｓ（以下、「ＵＴＯＣ」という。））領域に記録される。メインデータの記録、編集又は消去をする場合、この管理データが書き換えられる。また、ＵＴＯＣ領域には、ディスクネームやトラックネームなどの文字情報を記録することができる。
【０００４】
また、ＣＤのリードイン領域内のテーブル  オブ  コンテンツ（Ｔａｂｌｅ  Ｏｆ  Ｃｏｎｔｅｎｔｓ（以下、「ＴＯＣ」という。））領域には、トラックナンバーやトラック毎の記録時間、全トラックの記録時間等のＴＯＣ情報が記録されている。ＣＤの一態様として、ＴＯＣ情報に加えてテキスト情報がさらに記録されているＣＤ−ＴＥＸＴがある。このＣＤ−ＴＥＸＴに記録されているテキスト情報には、ディスクネーム、トラックネーム又はアーティストネームなどの情報が含まれている。テキスト情報表示機能を搭載している再生装置は、このテキスト情報を表示部に表示することができ、使用者は、この表示によりテキスト情報を確認することができる。
【０００５】
ＭＤ記録再生装置には、ＭＤＬＰ（ＭＤ  Ｌｏｎｇ  Ｐｌａｙ）機能を搭載している機種がある。ＭＤＬＰ機能とは、ＭＤの通常記録時間の２倍長または４倍長のステレオ録音（ＭＤＬＰ録音）をすることができる機能である。このため、１枚のＭＤに、数枚分のＣＤに記録された楽曲を記録することが可能となる。この場合、ＭＤＬＰ録音されたＭＤは、従来よりもトラック数が多くなるために、再生を希望するトラックを検索するのに時間を要することがある。このため、ＭＤＬＰ機能を搭載したＭＤ記録再生装置は、ＭＤに記録されたトラックをグループに分けて管理することができるグループ機能を備えている（例えば、特許文献１参照。）。
【０００６】
例えば、連続した２０曲の楽曲のトラックを１曲目から７曲目までのトラックのグループと８曲目から２０曲目までのトラックのグループに分けるときは、第１のグループの最初のトラックナンバー０１と最後のトラックナンバー０７でマーク・を挟み「０１・０７」と入力しマーク＝で区切り、グループネーム「ＡＢＣ」を入力して１のグループ管理情報の終わりを示すマーク＊でグループ間を区切る。同様の入力操作を行い８曲目から２０曲目までのトラックを第２のグループとする。つまり、「０１・０７＝ＡＢＣ＊０８・２０＝ＤＥＦ＊」のようなグループ管理情報をＭＤのＵＴＯＣ領域セクタ１またはセクタ４のディスクネーム領域に記録することにより、複数の楽曲のトラックをグループ単位で管理することができる。また、「０＝ＸＹＺ＊０１・０７＝ＡＢＣ＊０８・２０＝ＤＥＦ＊」のようなグループ管理情報を記録することで、ＭＤのディスクネーム「ＸＹＺ」を登録することができる。
【０００７】
【特許文献１】
特開２００２−２７９７６３号公報  （第２頁）
【０００８】
【発明が解決しようとする課題】
ＭＤに記録されたトラックをグループ分けするためには、上述したような、グループを設定する操作をし、設定した各グループ毎にグループネームを入力する操作が必要なため、多くの時間を要する。
【０００９】
本発明は、上記の課題を解決し、外部からデジタル信号で入力されたメインデータの記録終了後にグループ分けの操作をすることなくグループ分けができる情報記録媒体記録再生装置を提供することを目的とする。また、ＣＤ−ＴＥＸＴに記録されているメインデータを記録しグループ分けされる場合は、その記録終了後にＣＤ−ＴＥＸＴのテキスト情報のアーティストクネームをグループネームとして記録することができる情報記録媒体記録再生装置を提供することを目的とする。
【００１０】
【課題を解決するための手段】
上記の課題を解決するために、本願の請求項１記載の発明は、メインデータを記録するためのメインデータ記録領域と前記メインデータ記録領域に記録されたメインデータを管理する管理データを記録するための管理データ記録領域を有する情報記録媒体にメインデータと管理データを記録する記録手段と情報記録媒体に記録されたメインデータ及び管理データを再生する再生手段を備えた情報記録媒体記録再生装置において、メインデータとテキストデータを外部から入力する入力手段と、前記入力手段に入力されたメインデータの情報記録媒体への記録の開始及び停止を指示する指示手段と、前記指示手段により記録の開始を指示されたときのトラックナンバーＮ１と記録の停止を指示されたときのトラックナンバーＮ２を記憶する記憶手段と、情報記録媒体の管理データ記録領域のディスクネーム記録領域にトラックナンバーＮ１からトラックナンバーＮ２までのトラックを１つのグループとして管理するグループ管理データを記録するよう前記記録手段を制御する制御手段とを有し、前記制御手段は、テキストデータにアーティストネームを示すデータが含まれているとき、前記記憶手段にアーティストネームを示すデータを記憶させ、前記アーティストネームを示すデータを前記１つのグループのグループネームを示すデータとして記録するよう前記記録手段を制御することを特徴とする。
【００１１】
【発明の実施の形態】
以下、本発明の実施の形態を図面に基づいて説明する。図１は、本発明の情報記録媒体記録再生装置の一実施例の構成を示すブロック図である。本実施例の情報記録媒体記録再生装置は、ＭＤＬＰ機能及びグループ機能を備えたＭＤ記録再生装置である。
【００１２】
図１において、光学ヘッド３は、レーザ光源、レンズ、光検出器等からなる。また、磁気ヘッド４がＭＤ１に対し光学ヘッド３の反対側に設けられている。光学ヘッド３の光検出器からの出力信号は、ＲＦアンプ６に入力される。ＲＦアンプ６は、光学ヘッド３から入力された出力信号からフォーカスエラー信号やトラッキングエラー信号を分離しサーボ制御回路５に出力する。また、ＲＦアンプ６は、光学ヘッド３からの出力信号の高周波信号を２値化して、ＥＦＭ（Ｅｉｇｈｔ  ｔｏ  Ｆｏｕｒｔｅｅｎ  Ｍｏｄｕｌａｔｉｏｎ）デコーダ８へ出力する。さらに、ＲＦアンプ６は、トラッキングエラー信号中に含まれるウォブル信号を検出しアドレスデコーダ７へ出力する。
【００１３】
アドレスデコーダ７は、ウォブル信号からアドレス情報を復調し、ＥＦＭデコーダ８へ供給する。サーボ制御回路５は、図示しないフォーカスサーボ制御回路、トラッキングサーボ制御回路、スピンドルサーボ制御回路及びスライドサーボ制御回路等から構成される。フォーカスサーボ制御回路とトラッキングサーボ制御回路は、ＭＤ１の記録トラックへレーザ光を正しく追従させる機能を有する。スピンドルサーボ制御回路は、ＭＤ１に記録された同期信号に応じた回転速度で回転駆動するようにスピンドルモータ２を制御する。
【００１４】
スライドサーボ制御回路は、ＣＰＵ（Ｃｅｎｔｒａｌ  Ｐｒｏｃｅｓｓｉｎｇ  Ｕｎｉｔ）９に内蔵する制御部２２の制御によりＭＤ１の目的トラックへ光学ヘッド３及び磁気ヘッド４を移動させる機能を有している。サーボ制御回路５は、サーボ制御される各部の動作状態を示す情報を制御部２２に出力する。
【００１５】
制御部２２に接続された操作部２０は、図示しない記録開始ボタン、記録停止ボタン、再生開始ボタン及び再生停止ボタンなどを備えている。操作部２０からの入力指示に従って、制御部２２は、装置各部に対して記録制御、再生制御をする。また、制御部２２は、ＭＤ１のＵＴＯＣ領域に記録された管理データに基づき、光学ヘッド３及び磁気ヘッド４がトレースするＭＤ１上の位置を制御する。制御部２２に接続された表示部２１は、現在ＭＤ１に記録データを記録しているトラックのトラックナンバー及び記録時間又は現在ＭＤ１から記録データを再生しているトラックのトラックナンバー及び再生時間等の表示をする。
【００１６】
ＣＰＵ９は、制御部２２と記憶手段２３を備えている。記憶手段２３は、トラックナンバーＮ１，トラックナンバーＮ２及びアーティストネームを示すテキストデータを記憶する領域を備えている。
【００１７】
本実施例のＭＤ記録再生装置の記録動作について説明する。
操作部２０からＭＤ１へのメインデータの記録の開始を指示する。記録の開始の指示があると、入力手段１３は、図示しないＣＤ−ＴＥＸＴを再生する再生装置から再生されたメインデータとテキストデータを入力する。
【００１８】
入力手段１３に入力されたメインデータとテキストデータであるデジタル信号は、デジタルインターフェイス１４に入力される。デジタルインターフェイス１４は、メインデータとテキストデータを分離して、メインデータをＡＴＲＡＣエンコーダ１５へ、テキストデータを記憶手段２３へ入力する。
【００１９】
ＡＴＲＡＣエンコーダ１５により圧縮されたメインデータは、ショックプルーフメモリシステムコントローラ１７に入力される。ショックプルーフメモリシステムコントローラ１７は、ＲＡＭ１６にメインデータを記憶させる制御をする。
【００２０】
ＲＡＭ１６は、少なくとも１クラスタ分のメインデータを記憶し、クラスタ単位でショックプルーフメモリシステムコントローラ１７へメインデータを出力する。
【００２１】
ＥＦＭエンコーダ１８は、ショックプルーフメモリシステムコントローラ１７から出力されたデータをリアルタイムでＥＦＭ信号にエンコードし、磁気ヘッド駆動回路１９へ出力する。磁気ヘッド駆動回路１９は、上記メインデータに応じた変調磁界をＭＤ１に印加するように磁気ヘッド４を駆動する。また、制御部２２は、ショックプルーフメモリシステムコントローラ１７に対して上述のメモリ制御をするとともに、ショックプルーフメモリシステムコントローラ１７から読み出される上記メインデータをＭＤ１のメインデータ記録領域の記録トラックに記録するように光学ヘッド３の記録位置の制御をする。
【００２２】
制御部２２は、ＭＤ１の記録位置を指定する制御信号をサーボ制御回路５へ出力することにより光学ヘッド３を制御し、メインデータの記録位置を制御する。
【００２３】
制御部２２は、操作部２０から、記録停止の指示があったとき、その時点までに入力手段１３に入力したメインデータのＭＤ１のメインデータ記録領域への記録を完了させた後、ＭＤ１のＵＴＯＣ領域へトラックナンバー等の管理データを記録する指示を出す。
【００２４】
次に、本実施例のＭＤ記録再生装置の再生動作について説明する。
制御部２２は、操作部２０により指示された位置まで、光学ヘッド３の位置を移動するようにサーボ制御回路５を制御し、ＭＤ１に記録されたメインデータを再生する。
【００２５】
光学ヘッド３からの出力の高周波信号は、ＲＦアンプ６により２値化され、ＥＦＭデコーダ８へ出力される。ＥＦＭデコーダ８は、ＥＦＭ信号をデコードし、クラスタ単位のデータをショックプルーフメモリシステムコントローラ１７を介してＲＡＭ１６へ出力する。ＲＡＭ１６へのデータの書き込み、読み出しはショックプルーフメモリシステムコントローラ１７により制御される。ＲＡＭ１６には、ＥＦＭデコーダ７からクラスタ単位で転送されるメインデータが書き込まれる。ＲＡＭ１６に書き込まれたメインデータは、ＡＴＲＡＣデコーダ１０が必要とするタイミングでＡＴＲＡＣデコーダ１０へ出力される。
【００２６】
ＡＴＲＡＣデコーダ１０は、ＲＡＭ１６から出力されたメインデータを伸張する。伸張されたメインデータは、Ｄ／Ａ変換装置１１へ出力される。Ｄ／Ａ変換装置１１は、メインデータをアナログオーディオ信号に変換する。このＤ／Ａ変換装置１１から得られるアナログオーディオ信号は、ＬＰＦ１２を介して出力端子（Ａｏｕｔ）から出力される。
【００２７】
図２は、本発明の一実施例である情報記録媒体記録再生装置のグループ管理情報の記録動作について説明するフローチャートである。ここでは、ＣＤ−ＴＥＸＴに記録されている２曲目から１０曲目までのトラックを未記録のＭＤ１に記録する場合を例に挙げて説明する。
【００２８】
ステップＳ１は、動作の開始を示すステップである。
ステップＳ２は、記録開始を示すステップである。操作部２０により記録開始の指示が入力される。
【００２９】
ステップＳ３は、入力手段１３に入力された、図示しない再生装置が再生したＣＤ−ＴＥＸＴに記録されたテキストデータにアーティストネームを示すアーティストネームデータがあるか否かを制御部２２が判定するステップである。アーティストネームデータがないときはステップＳ５に進み、アーティストネームデータがあるときはステップＳ４に進む。
【００３０】
ステップＳ４は、制御部２２がアーティストネームデータを記憶手段２３に記憶する制御をするステップである。例えば、アーティストネームが「ＣＤＧ」のときは、「ＣＤＧ」を示すデータを記憶する。
【００３１】
ステップＳ５は、制御部２２が操作部２０により記録開始を指示されたときのトラックナンバーＮ１を記憶手段２３に記憶する制御をするステップである。ＭＤ１には、メインデータがまだ記録されていないのでトラックナンバーＮ１は０１となる。
【００３２】
ステップＳ６は、ＣＤ−ＴＥＸＴに記録されている２曲目から１０曲目までのトラックのメインデータをＭＤ１のメインデータ記録領域に記録するステップである。
【００３３】
ステップＳ７は、入力手段１３に入力されたメインデータのＭＤ１への記録停止を操作部２０が指示するステップである。
ステップＳ８は、記録の動作の停止を示すステップである。
【００３４】
ステップＳ９は、制御部２２が操作部２０により記録停止を指示されたときのトラックナンバーＮ２を記憶手段２３に記憶させる制御をするステップである。この場合、ＣＤ−ＴＥＸＴの２曲目から１０曲目までの９曲のトラックをＭＤ１に記録したので、トラックナンバーＮ２は０９となる。このとき、制御部２２は、ステップＳ５で記憶したトラックナンバー０１に続けてマーク・を記憶した後に、トラックナンバー０９を記憶する制御をする。
【００３５】
ステップＳ１０は、０１から０９までのトラックを１のグループで管理するグループ管理情報を作成するステップである。この場合、制御部２２は、ステップＳ９までに記憶された「０１・０９」に続けてトラックナンバーとグループネームを区切るマーク＝を記憶手段２３に記憶させる制御をする。グループネームが記憶されていない場合は、グループ管理情報の末尾に１つのグループに対するグループ管理情報の終わりを示すマーク＊を続けて記憶させる。つまり、制御部２２は、記憶手段２３に「０１・０９＝＊」のようにグループ管理情報を記憶させる。グループネームは、メインデータの記録終了後に操作部２０から入力することもできる。また、ステップＳ４でアーティストネームデータ「ＣＤＧ」を記憶部２３に記憶したとき、制御部２２は、トラックナンバーとグループネームを区切るマーク＝を記憶手段２３に記憶する制御をした後に続けて、グループネームとする「ＣＤＧ」を記憶させて末尾にマーク＊を記憶する制御をする。このように制御部２２は、記憶手段２３に「０１・０９＝ＣＤＧ＊」のようにグループ管理情報を記憶する制御をする。
【００３６】
ステップＳ１１は、記憶手段２３に記憶されたグループ管理情報を制御部２２がＭＤ１のＵＴＯＣ領域セクタ１またはセクタ４のディスクネーム領域に記録するように制御するステップである。
【００３７】
ステップＳ１３は、ＭＤ１のメインデータ記録領域へのメインデータの記録及びＭＤ１のＵＴＯＣ領域へのグループ管理情報の記録の処理が終了するステップである。
【００３８】
また、トラックナンバー０１からトラックナンバー０９を１つのグループとして、「０１・０９＝ＣＤＧ＊」のように第１のグループ管理情報を記録したＭＤ１に続けて、第２のグループを記録する場合は、ＭＤ１に記録した第１のグループ管理情報を記憶手段２３に記憶させてから、この情報に続けて第１のグループ管理情報と同様に第２のグループ管理情報を記憶させて第１及び第２のグループ管理情報をＭＤ１のＵＴＯＣ領域に記録する。
【００３９】
【発明の効果】
本発明の情報記録媒体記録再生装置によれば、外部からデジタル信号で入力されたメインデータの記録終了後にグループ分けの操作をすることなくグループ分けができる情報記録媒体記録再生装置を提供することを目的とする。また、ＣＤ−ＴＥＸＴに記録されているメインデータを記録しグループ分けされる場合は、その記録終了後にＣＤ−ＴＥＸＴのテキスト情報のアーティストクネームをグループネームとして記録することができる情報記録媒体記録再生装置を提供することができる。
【図面の簡単な説明】
【図１】本実施例のＭＤ記録再生装置の構成を示すブロック図。
【図２】グループ管理情報の記録動作を説明するフローチャート。
【符号の説明】
１                    ＭＤ
２                    スピンドルモータ
３                    光学ヘッド
４                    磁気ヘッド
５                    サーボ制御回路
６                    ＲＦアンプ
７                    アドレスデコーダ
８                    ＥＦＭデコーダ
９                    ＣＰＵ
１０                  ＡＴＲＡＣデコーダ
１１                  Ｄ／Ａ変換装置
１２                  ＬＰＦ
１３                  入力手段
１４                  デジタルインターフェイス
１５                  ＡＴＲＡＣエンコーダ
１６                  ＲＡＭ
１７                  ショックプルーフメモリーシステムコントローラ
１８                  ＥＦＭエンコーダ
１９                  磁気ヘッド駆動回路
２０                  操作部
２１                  表示部
２２                  制御部
２３                  記憶手段
【図１】
2004192706.tif 000003
【図２】
2004192706.tif 000004